(57)【特許請求の範囲】
【請求項１】
前面が接客面を構成し、かつ後面に形成された開口が扉体により開閉されるケース本体と、
前記ケース本体の内部に形成された収納域に上下方向に沿って複数段設けられ、かつ収納対象となる商品を載置する商品載置棚と
を備え、前記接客面を通じて前記商品載置棚に載置された商品を視認させるショーケースにおいて、
前記扉体は、該扉体の後面より後方に向けて突出する態様で配設され、かつ商品を挟持するための先端部が上方となる態様でトングを支持する支持部材を備え、
前記支持部材は、
前記扉体に締結手段を介して締結された支持基部と、
前記支持基部の上端部が後方に向けて屈曲されることにより形成され、前記先端部が前記後面に近接することを規制する規制部と
を有することを特徴とするショーケース。
【請求項２】
前記支持部材は、前記支持基部よりそれぞれが後方に向けて突出する態様で左右一対に形成され、かつそれぞれが下方に向かうに連れて漸次互いに近接するよう延在する腕部を有し、これら腕部にて前記トングを支持する支持手部を備え、
前記支持手部は、各腕部の後方端部が他の腕部に向けて屈曲されることで形成され、かつ上方に向かうに連れて漸次前記扉体から離隔するよう延在する支持片部を有することを特徴とする請求項１に記載のショーケース。
【請求項３】
前記支持手部は、左右一対となる態様で前記支持基部に設けられ、かつ互いの離間距離は、それぞれが支持するトングの先端部同士を離隔することができる大きさとされていることを特徴とする請求項２に記載のショーケース。
【請求項４】
前記支持部材は、ポリエチレンコーティングが施されていることを特徴とする請求項１〜３のいずれか１つに記載のショーケース。
【発明の詳細な説明】
【技術分野】
【０００１】
本発明は、ショーケースに関するものである。
【背景技術】
【０００２】
例えばコンビニエンスストア等の店舗のカウンタ上に設置され、かつ商品を外部から視認可能に載置するショーケースが特許文献１に提案されている。
【０００３】
かかるショーケースは、ケース本体を備えている。ケース本体は、箱状の形態を成しており、内部に収納室が形成されている。このケース本体は、収納室を構成する前面が接客面を構成し、かつ該収納室を構成する後面に開口が形成されている。
【０００４】
上記ケース本体の収納室には、商品載置棚が上下方向に沿って複数段設けられている。商品載置棚は、収納対象となる商品を載置するものである。また、ケース本体の後面に形成された開口は、複数のガラス扉が左右にスライド移動することで開閉される。
【０００５】
このようなショーケースは、ケース本体における収納室を構成する前面（接客面）等が透明な樹脂材等で形成されており、これにより接客面を通じて商品載置棚に載置された商品を視認させるようにしている。
【先行技術文献】
【特許文献】
【０００６】
【特許文献１】特開２００８−１６７９２７号公報
【発明の概要】
【発明が解決しようとする課題】
【０００７】
ところで、上述した特許文献１に提案されているショーケースでは、店舗の顧客の求めに応じて店舗の販売員が扉体を開移動させて後面の開口を開成させた後、トングを用いて所望の商品が取り出されることとなる。そのため、ケース本体の近傍にトングが配置されていることが望ましい。しかも、トングのうち商品を挟持する先端部は衛生性が保たれていることが望ましい。
【０００８】
本発明は、上記実情に鑑みて、衛生性を保ちながらトングをケース本体に支持させることができるショーケースを提供することを目的とする。
【課題を解決するための手段】
【０００９】
上記目的を達成するために、本発明に係るショーケースは、前面が接客面を構成し、かつ後面に形成された開口が扉体により開閉されるケース本体と、前記ケース本体の内部に形成された収納域に上下方向に沿って複数段設けられ、かつ収納対象となる商品を載置する商品載置棚とを備え、前記接客面を通じて前記商品載置棚に載置された商品を視認させるショーケースにおいて、前記扉体は、該扉体の後面より後方に向けて突出する態様で配設され、かつ商品を挟持するための先端部が上方となる態様でトングを支持する支持部材を備え、前記支持部材は、前記扉体に締結手段を介して締結された支持基部と、前記支持基部の上端部が後方に向けて屈曲されることにより形成され、前記先端部が前記後面に近接することを規制する規制部とを有することを特徴とする。
【００１０】
また本発明は、上記ショーケースにおいて、前記支持部材は、前記支持基部よりそれぞれが後方に向けて突出する態様で左右一対に形成され、かつそれぞれが下方に向かうに連れて漸次互いに近接するよう延在する腕部を有し、これら腕部にて前記トングを支持する支持手部を備え、前記支持手部は、各腕部の後方端部が他の腕部に向けて屈曲されることで形成され、かつ上方に向かうに連れて漸次前記扉体から離隔するよう延在する支持片部を有することを特徴とする。
【００１１】
また本発明は、上記ショーケースにおいて、前記支持手部は、左右一対となる態様で前記支持基部に設けられ、かつ互いの離間距離は、それぞれが支持するトングの先端部同士を離隔することができる大きさとされていることを特徴とする。
【００１２】
また本発明は、上記ショーケースにおいて、前記支持部材は、ポリエチレンコーティングが施されていることを特徴とする。
【発明の効果】
【００１３】
本発明によれば、扉体の後面より後方に向けて突出する態様で配設された支持部材が、商品を挟持するための先端部が上方となる態様でトングを支持し、支持部材の規制部がトングの先端部が扉体の後面に近接することを規制するので、トングの先端部が扉体の後面に接することを抑制して衛生性を良好なものとすることができる。従って、衛生性を保ちながらトングをケース本体に支持させることができるという効果を奏する。
【図面の簡単な説明】
【００１４】
【図１】図１は、本発明の実施の形態であるショーケースの内部構造を左側から見た場合を模式的に示す断面側面図である。
【図２】図２は、収納室における複数の商品載置棚を右側上方より見た場合を示す斜視図である。
【図３】図３は、収納室における複数の商品載置棚を右側下方より見た場合を示す斜視図である。
【図４】図４は、ブラケット部材を示す斜視図である。
【図５】図５は、右側のブラケット部材の平面図である。
【図６】図６は、右側のブラケット部材の背面図である。
【図７】図７は、右側のブラケット部材が右側の棚柱に支持される状態を示す左側面図である。
【図８】図８は、右側のブラケット部材が右側の棚柱に支持される状態を示す平面図である。
【図９】図９は、係止片が第１係止孔に挿入されて係止される状態を示す模式図である。
【図１０】図１０は、受部材を示す斜視図である。
【図１１】図１１は、商品載置棚の要部を示す斜視図である。
【図１２】図１２は、レール部材を示す斜視図である。
【図１３】図１３は、棚板を示す斜視図である。
【図１４】図１４は、ショーケースの要部を模式的に示す斜視図である。
【図１５】図１５は、ＬＥＤカバー部材を模式的に示す模式図である。
【図１６】図１６は、ＬＥＤ基板を模式的に示す模式図である。
【図１７】図１７は、照明部材の配置例を模式的に示す模式図である。
【図１８】図１８は、図１に示した扉体の後面側を示す斜視図である。
【図１９】図１９は、支持部材の斜視図である。
【図２０】図２０は、支持部材の左側面図である。
【発明を実施するための形態】
【００１５】
以下に添付図面を参照して、本発明に係るショーケースの好適な実施の形態について詳細に説明する。
【００１６】
図１は、本発明の実施の形態であるショーケースの内部構造を左側から見た場合を模式的に示す断面側面図である。ここで例示するショーケースは、例えばコンビニエンスストア等の店舗のカウンタ上に設置されてドーナツ等の商品を陳列するものであり、ケース本体１０及び扉体６０を備えている。
【００１７】
ケース本体１０は、箱状の形態を成しており、内部が収納室１１と機械室１２とに上下に区画されている。このケース本体１０は、収納室１１を構成する前面１３が左右両側面１４とともに接客面を構成し、かつ該収納室１１を構成する後面１５に開口（以下、後面開口ともいう）１５ａが形成されている。かかるケース本体１０では、収納室１１を構成する各面は断熱構造を有する透明なガラス材や樹脂材により構成されており、収納室１１が外部から視認可能である。また、接客面を構成する前面１３は、上方に向かうに連れて漸次後方に湾曲してなるものである。
【００１８】
上記ケース本体１０における収納室１１には、複数の商品載置棚１６が上下方向に沿って複数段並べて配設されている。
【００１９】
図２及び図３は、それぞれ収納室１１における複数の商品載置棚１６を示すものであり、図２は、右側上方より見た場合を示す斜視図であり、図３は、右側下方より見た場合を示す斜視図である。これら図２及び図３に示すように、商品載置棚１６は、ブラケット部材１７、受部材１８及び棚板１９を備えて構成されている。
【００２０】
ブラケット部材１７は、図４にも示すように左右一対のものである。このようなブラケット部材１７は、互いの内面が対向する態様で棚柱２０に支持されている。尚、ここでいう「内面」とは、右側のブラケット部材１７では左面をさし、左側のブラケット部材１７では右面をさすものとする。また、左側のブラケット部材１７は、右側のブラケット部材１７に対して左右方向の構成が異なるだけであるので、以下においては右側のブラケット部材１７について説明し、左側のブラケット部材１７の説明は割愛する。
【００２１】
棚柱２０は、収納室１１の後方側において互いの内面が対向する態様で立設された左右一対のものである。これら棚柱２０は、第１係止孔（内面係止孔）２０１及び第２係止孔（前面係止孔）２０２が形成されている。尚、ここでいう「内面」とは、右側の棚柱２０では左面をさし、左側の棚柱２０では右面をさすものとする。
【００２２】
第１係止孔２０１は、各棚柱２０の内面に上下方向に沿って所定間隔毎に形成された矩形状のものである。つまり各棚柱２０の内面においてそれぞれの高さレベルに形成された第１係止孔２０１同士が左右一対となる態様で互いに対向して形成されている。
【００２３】
第２係止孔２０２は、各棚柱２０の前面１３に上下方向に沿って所定間隔毎に形成されている。これら第２係止孔２０２は、棚柱２０の内面に連続する態様で形成された長孔である。また、第２係止孔２０２では、棚柱２０の内面に開口する部分の上下寸法が棚柱２０の前面１３に開口する部分の上下寸法よりも大きくなるよう形成されている。
【００２４】
図５及び図６は、それぞれ右側のブラケット部材１７を示すものであり、図５は、右側のブラケット部材１７の平面図であり、図６は、右側のブラケット部材１７の背面図である。これら図５及び図６にも示すように、上記ブラケット部材１７は、内面に２つのブラケットローラ１７１が回転可能に配設されており、係止片１７２、当接片１７３、係合片１７４及びサイドストッパ１７５が形成されている。
【００２５】
係止片１７２は、複数（図示の例では３つ）あり、それぞれブラケット部材１７の後端部の舌片状部位を他のブラケット部材１７とは反対側の方向、すなわち右方に屈曲させることで形成されている。
【００２６】
これら係止片１７２の基端部分の下端部には切欠１７２ａが形成されている。ここで切欠１７２ａの左右方向の長さは棚柱２０を構成する板金の厚み、すなわち第１係止孔２０１の開口縁部の厚みよりも僅かに大きいものである。
【００２７】
当接片１７３は、ブラケット部材１７における後端部であって係止片１７２よりも前方側となる個所を切り起こすことにより形成された矩形状部位を上記係止片１７２と同一の方向に屈曲させて形成されたものである。この当接片１７３は、上下方向が長手方向となる長尺状部位である。また、この当接片１７３の下端部には係止突起１７３ａが設けられている。係止突起１７３ａは、当接片１７３の下端縁部を後方に向けて屈曲されることにより形成されたものであり、後方に向けて突出するものである。
【００２８】
係合片１７４は、複数（図示の例では２つ）あり、それぞれがブラケット部材１７の後端部であって係止片１７２の間に後方に向けて突出する態様で形成した平板状部位である。サイドストッパ１７５は、ブラケット部材１７の前端部において、右方に向けて突出する態様で設けられたロッド状のものである。このサイドストッパ１７５は、左右方向が長手方向となる長尺状部材であり、その左右方向の長さは、先端がケース本体１０の側面１４（右側面１４）に接することが可能な大きさである。
【００２９】
図７及び図８は、それぞれ右側のブラケット部材１７が右側の棚柱２０に支持される状態を示すもので、図７は、左側面図であり、図８は、平面図である。
【００３０】
右側のブラケット部材１７を右側の棚柱２０に対して左方側から近接させて、係止片１７２を第１係止孔２０１に進入させるとともに係止突起１７３ａを第２係止孔２０２に進入させ、その後に、図９に示すように係止片１７２の切欠１７２ａに第１係止孔２０１の下縁部２０１ａが相対的に進入するよう右側のブラケット部材１７を下方に変位させることで、当接片１７３が棚柱２０の前面１３に接するとともに係合片１７４が棚柱２０の内面に接して右側のブラケット部材１７が右側の棚柱２０に支持される。
【００３１】
受部材１８は、図１０に示すように左右一対のものである。尚、左側の受部材１８は、右側の受部材１８に対して左右方向の構成が異なるだけであるので、以下においては右側の受部材１８について説明し、左側の受部材１８の説明は割愛する。
【００３２】
受部材１８は、前後方向が長手方向となる長尺状のものであり、上下方向に沿って延在する受基部１８１と、受基部１８１の上端縁部より左方に向けて延在する受上面部１８２とを有している。受基部１８１の左面には、２つの受部ローラ１８３が回転可能に配設されている。受上面部１８２には、前後方向が長手方向となる受長孔１８４が形成されている。この受長孔１８４は、長手方向の中央部分の幅が、前方部分及び後方部分の幅よりも大きくなるように形成されている。また、受上面部１８２の後端部には受ストッパ部１８５が形成されている。受ストッパ部１８５は、受上面部１８２の後端部において後方に向けて突出する矩形状部位を上方に向けて屈曲させた後に前方に向けて屈曲させることにより形成されたものである。
【００３３】
このような受部材１８は、図１１に示すように、レール部材２１を介してブラケット部材１７の内面に配設されている。ここでレール部材２１は、図１２に示すように、ブラケットレール部２１ａと棚レール部２１ｂとが互いに接合されて構成されたものである。尚、レール部材２１も、ブラケット部材１７や受部材１８と同様に左右一対のものであり、左側のレール部材は、右側のレール部材２１に対して左右方向の構成が異なるだけであるので、以下においては右側のレール部材２１について説明し、左側のレール部材の説明は割愛する。
【００３４】
ブラケットレール部２１ａは、縦断面が略コ字状を成し、前後方向が長手方向となる長尺棒状体である。このブラケットレール部２１ａは、ブラケットローラ１７１の進入を許容し、かつブラケットローラ１７１を転動させるものである。棚レール部２１ｂは、縦断面が略コ字状を成し、前後方向が長手方向となる長尺棒状体である。この棚レール部２１ｂは、受部ローラ１８３の進入を許容し、かつ受部ローラ１８３を転動させるものである。
【００３５】
このようにレール部材２１は、ブラケットレール部２１ａにブラケットローラ１７１が進入して転動することで、ブラケット部材１７に対して前後方向に沿ってスライド移動可能なものである。また、受部材１８は、受部ローラ１８３がレール部材２１の棚レール部２１ｂに進入して転動することで、レール部材２１に対して前後方向に対してスライド移動可能なものである。つまり、受部材１８は、レール部材２１を介することで、ブラケット部材１７に内面に対して前後方向に沿って移動可能に配設されている。
【００３６】
棚板１９は、平板状の形態を成すものであり、その上面が商品を載置するための商品載置面を構成している。この棚板１９の下面における左右両端部には、図１３に示すように係合部材１９１が設けてある。係合部材１９１は、前後方向が長手方向となり、かつ下方に向けて突出する長尺状突部１９２を有している。この長尺状突部１９２の前後長さ及び左右方向の長さは、上記受長孔１８４に進入可能な大きさである。また、係合部材１９１は、長尺状突部１９２の前端部にフック部１９３が設けられている。
【００３７】
このような棚板１９は、それぞれの係合部材１９１における長尺状突部１９２を各受部材１８の受長孔１８４に進入させるようにし、図２及び図３に示すように、フック部１９３を受部材１８における受長孔１８４の前縁部に係止させ、かつ受ストッパ部１８５により後方への移動を規制されることでこれら受部材１８を跨るようにして該受部材１８に係合している。
【００３８】
そして、棚板１９には棚把手部１９４が形成されている（図２参照）。棚把手部１９４は、棚板１９の後端部における左右方向の中央部分にて上方に向けて延在する態様で形成されている。
【００３９】
かかる棚板１９は、各受部材１８に係合することで、ブラケット部材１７に対して前後方向にスライド移動可能である。つまり、棚板１９は、引出操作された場合には、後面開口１５ａを通じて後方に向けてスライド移動することが可能であり、押出操作された場合には、後面開口１５ａを通じて前方に向けてスライド移動することが可能である。そして、このような棚板１９の上面には、商品ガイド２２に支持された状態でドーナツ等の商品が前後方向及び左右方向に並ぶよう載置されている。
【００４０】
上記収納室１１には、照明部材３０が設けられている。照明部材３０は、図１４に示すように左右一対となるものであり、収納室１１の前方側左右両側部に配設されている。より詳細には、照明部材３０は、収納室１１の前方側左右両側部においてケース本体１０の前面１３に沿って湾曲するフレーム材２３に支持されて配設されている。
【００４１】
このような照明部材３０は、ＬＥＤカバー部材３１を備えている。ＬＥＤカバー部材３１は、透光性の樹脂材から構成されるものである。このＬＥＤカバー部材３１は、円筒状の形態を成しており、ケース本体１０の前面１３と略等しい曲率で湾曲している。また、このＬＥＤカバー部材３１の両端部は、それぞれキャップ３２により閉塞されており、かかるキャップ３２がフレーム材２３に支持されている。このようなＬＥＤカバー部材３１の内面には、図１５に示すように互いに対向する態様で一対の支持片３１ａが該ＬＥＤカバー部材３１の延在方向に沿って延在しており、これら支持片３１ａに挟まれる態様でＬＥＤ基板３３が支持されている。つまり、ＬＥＤカバー部材３１には、ＬＥＤ基板３３が収納されている。
【００４２】
ＬＥＤ基板３３は、長尺状部材であり、図１６に示すように長手方向に沿って湾曲している。このＬＥＤ基板３３は、ＬＥＤカバー部材３１の内部に収納することができればよいので、必ずしもＬＥＤカバー部材３１と同等の曲率を有していなくてもよい。このＬＥＤ基板３３の一面には、複数個（図示の例では４個）のＬＥＤ３４がＬＥＤ基板３３の長手方向に沿って実装されている。
【００４３】
以上のような構成を有する照明部材３０においては、図１７に示すように、ＬＥＤカバー部材３１に収納されるＬＥＤ基板３３は、実装されるＬＥＤ３４から発せられた光が対応する商品載置棚１６の前端中央部に照射されるようにその配設角度αが調整されており、この配設角度αは、例えば４５°〜７０°とされる。
【００４４】
ケース本体１０の機械室１２には、冷却ユニット４０が配設されている。この冷却ユニット４０は、冷却器４１、放熱器４２、循環ファン４３及び放熱ファン４４を備えて構成されている。
【００４５】
冷却器４１は、収納室１１と機械室１２とを区画する断熱底板２４に形成された吸込口２４１の下方側に配設されており、ペルチェ素子４５の冷温部分に熱的に接続されている。ここで、ペルチェ素子４５は、従来公知のものであり、ｐ型半導体とｎ型半導体とを電極板によって交互に直列に接続し、これら半導体の表裏に絶縁板を配設されたものである。このようなペルチェ素子４５は、直流電流が電極板に与えられることにより、一方の絶縁板は吸熱し（冷温部分となり）、他方の絶縁板が発熱する（高温部分となる）ものである。
【００４６】
上記冷却器４１は、熱伝導性に優れた材料により構成されており、図には明示していないが、複数のフィンが設けられ、これらフィン間が空気が通過するための空気通路を構成している。かかる冷却器４１は、ペルチェ素子４５から与えられる冷熱により、空気通路を通過する空気を冷却するものである。
【００４７】
放熱器４２は、冷却器４１の前方側に配設されており、ペルチェ素子４５の高温部分に熱的に接続されている。この放熱器４２は、熱伝導性に優れた材料により構成されており、図には明示していないが、複数のフィンが設けられ、これらフィン間が空気が通過するための空気通路を構成している。かかる放熱器４２は、ペルチェ素子４５から与えられる高温排熱により、空気通路を通過する空気を加熱して放熱するものである。
【００４８】
循環ファン４３は、上記吸込口２４１と、断熱底板２４の後方側に形成された吹出口２４２とを連通するよう形成された断熱構造の風洞４６の内部において、冷却器４１の後方側に配設されている。この循環ファン４３は、駆動することにより上記吸込口２４１を通じて収納室１１の内部の空気を吸引し、冷却器４１の空気通路に吸引した空気を通過させる。
【００４９】
そして、循環ファン４３は、冷却器４１の空気通路を通過した空気を、吹出口２４２を通じて収納室１１に吹き出すことで、収納室１１の内部の空気を収納室１１と機械室１２との間で循環させるものである。
【００５０】
放熱ファン４４は、上記放熱器４２の前方側に配設されている。この放熱ファン４４は、駆動することにより機械室１２の底面２５に形成された吸引口２５１を通じて外気を吸引して放熱器４２の空気通路を通過させる。そして、放熱ファン４４は、放熱器４２の空気通路を通過した外気を、機械室１２の底面２５に形成された吐出口２５を通じて外部に吐出させるものである。
【００５１】
このような機械室１２の底面２５、すなわちケース本体１０の底面２５には、上記吸引口２５１及び上記吐出口２５の他、ドレン水排出口２５３が形成されるとともに、ドレン皿５１及びガイド部材５５が設けられている。
【００５２】
ドレン水排出口２５３は、吐出口２５よりも後方側に形成されており、ケース本体１０の内部（例えば冷却器４１等）で発生して樋部材５２を通じて移動したドレン水を外部に排出するための開口である。
【００５３】
ドレン皿５１は、ドレン水排出口２５３の下方域に配設されており、ドレン水排出口２５３を通じて排出されたドレン水を貯留するためのものである。このドレン皿５１は、上部に形成された鍔部分５３が機械室１２の底面２５より下方に突出する態様で形成された左右一対のドレン支持部５４に支持されている。
【００５４】
ガイド部材５５は、平板状部材を屈曲して形成されたものであり、吸引口２５１と吐出口２５との間において機械室１２の底面２５より下方に突出する態様で配設されている。このガイド部材５５は、ガイド基部５５１と、ガイド下延部５５２と、ガイド後延部５５３とを有している。
【００５５】
ガイド基部５５１は、機械室１２の底面２５に取り付けられる部位である。ガイド下延部５５２は、ガイド基部５５１の後端縁部より下方に向けて延在する部位である。ガイド後延部５５３は、ガイド下延部５５２の延在端部である下端部より後方に向けて延在する部位である。
【００５６】
上記ガイド部材５５は、左右方向の長さが吸引口２５１や吐出口２５よりも大きく形成されており、吐出口２５から吹き出された空気が前方側の吸引口２５１に向けて通過することを規制しつつ、後方側のドレン皿５１の周囲を通過するよう案内するものである。図１中の符号２６は、ケース本体１０の脚部である。
【００５７】
扉体６０は、後面開口１５ａを開閉するためのものであり、後面開口１５ａを閉塞するのに十分な大きさを有した平板状部材である。この扉体６０は、断熱性能を有する透明な樹脂材等から構成されるものである。
【００５８】
上記扉体６０の前面１３の周縁部、すなわち後面開口１５ａを閉塞する場合に該後面開口１５ａの周縁部を形成するケース本体１０の金属製フレームに対向する部分にガスケット部材６１が配設されている。かかるガスケット部材６１としては、扉体６０が後面開口１５ａを閉塞する際に、磁力の作用により後面開口１５ａの周縁部に吸着することが可能なマグネットガスケットであることが好ましい。
【００５９】
このような扉体６０の前面１３には背面ダクト６２が配設されている。背面ダクト６２は、扉体６０の前面１３との間に上下方向に沿って延在する空気通路を形成しており、導入口６２１及び噴出孔６２２を有している。
【００６０】
導入口６２１は、下方に形成された開口であり、後述するように循環ファン４３が駆動する場合に、空気を導入するための開口である。導入口６２１を通じて導入された空気は空気通路を通過することとなる。この導入口６２１は、扉体６０が後面開口１５ａを閉塞する場合に、吹出口２４２の上方側に位置するものである。
【００６１】
噴出孔６２２は、背面ダクト６２の前面１３に多数形成されており、上記循環ファン４３が駆動する場合に、空気通路を通過する空気を前方に向けて噴出させるための孔である。このような背面ダクト６２は、上記扉体６０とともに透明な樹脂材等から構成されるものである。
【００６２】
上記扉体６０は、ケース本体１０の後面１５を構成する後面開口１５ａの右側縁部（金属製フレーム）に配設された軸部６３（図１８参照）の中心軸回りに揺動可能に配設されており、該軸部６３の中心軸回りに揺動することで後面開口１５ａを開閉するものである。
【００６３】
図１８は、図１に示した扉体６０の後面側を示す斜視図である。この図１８に示すように、扉体６０の後面においては扉把手部６４及び支持部材７０が設けられている。扉把手部６４は、扉体６０の後面における左方側に取り付けられている。
【００６４】
図１９及び図２０は、それぞれ図１８に示した支持部材７０を示すものであり、図１９は、斜視図であり、図２０は、左側面図である。これら図１９及び図２０に示すように、支持部材７０は、支持基部７１と、支持手部７２と、規制部７３とが一体的に形成されて構成されるもので、ポリエチレンコーティングが施されている。
【００６５】
支持基部７１は、扉体６０の前面側に位置する支持板７４とともに扉体６０を挟み込むようにして該支持板７４と締結手段である締結ネジ７５に螺合されることで扉体６０に締結されている。
【００６６】
支持手部７２は、複数（図示の例では２つ）あり、左右一対となる態様で支持基部７１に設けられている。図１９中における左側の支持手部７２は、右側の支持手部７２と同一の構成を有するので、以下においては右側の支持手部７２について説明し、左側の支持手部７２の説明は適宜割愛する。
【００６７】
支持手部７２は、左右一対の腕部７２１を有している。腕部７２１は、それぞれ支持基部７１より後方に向けて突出する態様で形成されている。これら左右一対の腕部７２１は、それぞれが下方に向かうに連れて漸次互いに近接するよう延在している。そして、各腕部７２１の後方端部には支持片部７２２が形成されている。支持片部７２２は、左右一対の腕部７２１のうち一方の腕部７２１の後方端部が他方の腕部７２１に向けて屈曲されることにより形成されている。
【００６８】
そして、かかる支持手部７２においては、左右一対の腕部７２１間においてトング８０を支持している。ここでトング８０は、商品を挟持するための先端部８１が上方となる態様で支持手部７２に支持されている。また、上述したように支持手部７２は左右一対となる態様で支持基部７１に設けられているが、これら左右一対の支持手部７２の離間距離は、それぞれの支持手部７２が支持するトング８０の先端部８１同士を離隔することができる大きさとされている。
【００６９】
規制部７３は、支持基部７１の上端部が後方に向けて屈曲されることにより形成される平板状部位である。この規制部７３は、支持手部７２を構成する左右一対の腕部７２１の上方域において、左右一対の支持手部７２を跨るように設けられている。かかる規制部７３は、後端縁部が支持手部７２に支持されるトング８０に接するものであり、その前後方向の長さがトング８０の先端部８１を扉体６０の後面から離隔するのに十分な大きさを有している。つまり、規制部７３は、支持手部７２に支持されるトング８０の先端部８１が扉体６０の後面に近接することを規制するものである。
【００７０】
また上記支持片部７２２は、図２０に示すように、上方に向かうに連れて漸次扉体６０から離隔するよう後方に向けて延在している。ここで鉛直方向に対する支持片部７２２の傾斜角度βは、例えば３°〜２０°の大きさとされている。このように支持片部７２２が傾斜角度βの大きさだけ傾斜していることにより、規制部７３によるトング８０の姿勢の規制を許容することができる。
【００７１】
以上のような構成を有するショーケースにおいては、扉体６０が後面開口１５ａを閉塞した状態で循環ファン４３が駆動することにより、収納室１１の内部空気が吸込口２４１を通じて冷却器４１に至る。冷却器４１に至った空気は、空気通路を通過して冷却されて風洞４６を通過し、吹出口２４２を通じて収納室１１に吹き出される。
【００７２】
吹出口２４２より吹き出された空気は、導入口６２１を通じて背面ダクト６２に導入されて空気通路を通過しつつ、噴出孔６２２より前方に噴出され、各商品載置棚１６の商品の近傍を通過し、その後に吸込口２４１に吸い込まれることで上述した循環を繰り返す。この結果、収納室１１の内部空気が冷却され、これにより商品載置棚１６に載置された商品が冷却される。
【００７３】
その一方、放熱ファン４４が駆動することにより、外気が吸引口２５１を通じて放熱器４２の空気通路を通過して加熱されてその後に吐出口２５より外部に吐出される。外部に吐出された空気は、ガイド部材５５によって、後方に向けて移動し、ドレン皿５１の周囲を通過して排出される。
【００７４】
またショーケースは、商品載置棚１６に載置された商品の取り出し作業を行う場合には、扉体６０が開操作されて開移動することで後面開口１５ａを開放させる。その後に所望の商品を載置する商品載置棚１６の棚板１９が後方に向けて引き出される引出操作が行われることで、該棚板１９が後方に向けてスライド移動して、商品の取り出し作業が行われる。
【００７５】
商品の取り出しが行われた後、引出操作された棚板１９が前方に向けて押し込まれる押出操作が行われることで、該棚板１９が前方に向けてスライド移動する。その後に扉体６０が閉操作されて閉移動することでガスケット部材６１がケース本体１０の後面１５における後面開口１５ａの周縁部に吸着して該後面開口１５ａが閉塞される。
【００７６】
以上説明したような本実施の形態であるショーケースによれば、扉体６０が開操作されて開移動することで後面開口１５ａを開放し、所望の商品載置棚１６の棚板１９が引出操作されて該後面開口１５ａを通じて棚板１９をケース本体１０の外部にスライド移動させることで、従来のようにケース本体１０の内部に店舗の販売員の手指を進入させなくても、ケース本体１０の外部にスライド移動させた棚板１９に対して商品の取り出し等の作業を行うことができる。
【００７７】
しかも、ブラケット部材１７は、係止片１７２が棚柱２０の第１係止孔２０１に挿入するとともに該係止片１７２に形成された切欠１７２ａに該第１係止孔２０１の下縁部２０１ａが相対的に進入することで該係止片１７２が該第１係止孔２０１に係止して該棚柱２０に支持されるので、ブラケット部材１７が内方に向けて傾くいわゆる内倒れを防止することができ、これによって棚板１９を良好に移動させることができる。従って、棚板１９をスムーズに移動させることにより商品の取り出し等の作業を簡単に行うことができる。
【００７８】
また、ブラケット部材１７は、係止片１７２が第１係止孔２０１に挿入する場合に係合片１７４の対向面が棚板１９の内面に当接するので、これによってもブラケット部材１７が内方に向けて傾くいわゆる内倒れを防止することができ、これによって棚板１９を良好に移動させることができる。
【００７９】
上記ショーケースによれば、ブラケット部材１７の前端部に設けられたサイドストッパ１７５は、先端がケース本体１０の側面１４に接することが可能な大きさであるので、棚板１９のスライド移動時にブラケット部材１７が側面１４に近接変位してしまうことを規制し、これによりブラケット部材１７が左右方向に沿って揺れ動いてしまういわゆる左右振れを防止することができる。よって、棚板１９を良好に移動させることができる。従って、棚板１９をスムーズに移動させることにより商品の取り出し等の作業を簡単に行うことができる。
【００８０】
上記ショーケースによれば、ブラケット部材１７は、係止突起１７３ａが棚柱２０の第２係止孔２０２に挿入するとともに当接片１７３の後面が棚柱２０の前面に当接した状態で該棚柱２０に支持されるので、棚板１９のスライド移動時にブラケット部材１７が上下方向に沿って揺れ動いてしまういわゆる上下振れを防止することができ、これによって棚板１９を良好に移動させることができる。従って、棚板１９をスムーズに移動させることにより商品の取り出し等の作業を簡単に行うことができる。
【００８１】
上記ショーケースによれば、照明部材３０を構成するＬＥＤカバー部材３１は、ケース本体１０の前面１３と略等しい曲率を有して湾曲しているので、照明部材３０と前面１３との間隙を一定の大きさにすることができる。しかもＬＥＤカバー部材３１に収納されたＬＥＤ基板３３は、湾曲した形状を成しているだけなので、従来のようにＬＥＤ基板を曲げたり、複数のＬＥＤ基板を配線で接続して構成したりする必要がなく、信頼性を向上させるとともに部品点数の増大化を抑制できる。従って、製造コストの増大化を抑制しつつ高い信頼性を有し、かつ見栄えの向上を図ることができる。特に、ＬＥＤカバー部材３１が、各ＬＥＤ３４から発せられた光が対応する商品載置棚１６の前端中央部に照射されるようＬＥＤ基板３３を収納するので、商品載置棚１６に載置された商品を良好に照らすことができ、見栄えの向上を図ることができる。
【００８２】
上記ショーケースによれば、支持部材７０の規制部７３が、支持手部７２により支持されるトング８０の先端部８１が扉体６０の後面に近接することを規制するので、商品を挟持する先端部８１が扉体６０の後面に接することを抑制して衛生性を良好なものとすることができる。従って、衛生性を保ちながらトング８０をケース本体１０に支持させることができる。
【００８３】
特に、支持部材７０は、支持手部７２が左右一対となる態様で支持基部７１に設けられる場合に、左右一対の支持手部７２の離間距離は、それぞれが支持するトング８０の先端部８１同士を離隔することができる大きさとされているので、トング８０の先端部８１同士が接することを抑制して衛生性を良好なものとすることができる。
【００８４】
また、支持部材７０は、ポリエチレンコーティングが施されているので、例えば店舗の販売員等が手指等を接触させて怪我等することを抑制できる。
【００８５】
更に、上記ショーケースにおいては、下記のような作用効果を奏する。
【００８６】
上記ショーケースによれば、棚板１９の後端部における左右方向の中央部分にて上方に向けて延在する態様で棚把手部１９４が形成されているので、店舗の販売員等は、かかる棚把手部１９４を把持して棚板１９を良好に引き出すことができる。
【００８７】
上記ショーケースによれば、商品載置棚１６を構成する棚板１９は、フック部１９３を受部材１８の受長孔１８４の前縁部から離脱させることで、受部材１８から容易に取り外すことができ、該棚板１９の清掃等を簡単に行うことができる。
【００８８】
上記ショーケースによれば、ブラケット部材１７は、棚柱２０に対して内方に移動させれば、係止片１７２を第１係止孔２０１から離脱させつつ係止突起１７３ａを第２係止孔２０２から離脱させることができ、ブラケット部材１７をレール部材２１及び受部材１８とともに容易に取り外すことができ、該ブラケット部材１７等の清掃等を簡単に行うことができる。
【００８９】
以上、本発明の好適な実施の形態について説明したが、本発明はこれに限定されるものではなく、種々の変更を行うことができる。
【００９０】
上述した実施の形態では、ブラケット部材１７は、係止片１７２が棚柱２０の第１係止孔２０１に挿入するとともに該係止片１７２に形成された切欠１７２ａに該第１係止孔２０１の下縁部２０１ａが相対的に進入することで該係止片１７２が該第１係止孔２０１に係止して該棚柱２０に支持されていたが、本発明においては、係止片を棚柱の内面係止孔に挿入させつつ、左右一対のブラケット部材同士に長尺状のセンターバーを架設させてブラケット部材の内倒しを防止するようにしてもよい。
【００９１】
上述した実施の形態では、ブラケット部材１７の前端部に設けられたサイドストッパ１７５がケース本体１０の側面１４に当接することでブラケット部材１７の左右振れを防止するようにしていたが、本発明においては、サイドストッパはケース本体の側面に設けられてその先端がブラケット部材に当接するようにしてもよい。また、かかるサイドストッパ１７５を規制手段の一例として例示したが、本発明においては、ブラケット部材と、ケース本体の左右一対の側面のうち該ブラケット部材に近接する一方の側面との間に介在し、かつ該ブラケット部材が該一方の側面に近接変位することを規制することができれば規制手段としての構成は特に限定されるものではない。
【００９２】
上述した実施の形態では、当接片１７３の下端部に係止突起１７３ａが設けられていたが、本発明においては、当接片の上端部に係止突起が設けられていてもよい。
【符号の説明】
【００９３】
１０  ケース本体
１１  収納室
１３  前面
１４  側面
１５  後面
１５ａ  後面開口
１６  商品載置棚
１７  ブラケット部材
１７２  係止片
１７２ａ  切欠
１７３  当接片
１７３ａ  係止突起
１７４  係合片
１７５  サイドストッパ
１８  受部材
１９  棚板
２０  棚柱
２０１  第１係止孔（内面係止孔）
２０１ａ  下縁部
２０２  第２係止孔（前面係止孔）
３０  照明部材
３１  ＬＥＤカバー部材
３２  キャップ
３３  ＬＥＤ基板
３４  ＬＥＤ
６０  扉体
７０  支持部材
７１  支持基部
７２  支持手部
７２１  腕部
７２２  支持片部
７３  規制部
８０  トング
８１  先端部
【図１】
0006524696.tif 000002
【図２】
0006524696.tif 000003
【図３】
0006524696.tif 000004
【図４】
0006524696.tif 000005
【図５】
0006524696.tif 000006
【図６】
0006524696.tif 000007
【図７】
0006524696.tif 000008
【図８】
0006524696.tif 000009
【図９】
0006524696.tif 000010
【図１０】
0006524696.tif 000011
【図１１】
0006524696.tif 000012
【図１２】
0006524696.tif 000013
【図１３】
0006524696.tif 000014
【図１４】
0006524696.tif 000015
【図１５】
0006524696.tif 000016
【図１６】
0006524696.tif 000017
【図１７】
0006524696.tif 000018
【図１８】
0006524696.tif 000019
【図１９】
0006524696.tif 000020
【図２０】
0006524696.tif 000021